(57)【要約】      （修正有）【課題】スペース効率に優れ、レンズ鏡筒の収納長短縮化に寄与するバリヤ機構を提供する。【解決手段】撮影状態と撮影を行わない収納状態との間で動作可能なレンズ鏡筒において、周面にカム溝を形成した筒状部と、該筒状部から光軸方向前方に突出する前方突出部を有し、撮影状態と収納状態の移行時に回転するカム環の回転によりカム溝に案内されて光軸方向に直進移動される直進環に、光軸と直交する動作平面内で動作し、該直進環の前方開口を開閉支持されたバリヤ羽根を撮影状態で開かせ、撮影状態から収納状態になるときバリヤ羽根を閉じさせるバリヤ駆動機構を備え、バリヤ羽根の開閉動作領域が、カム環の前方突出部の内周の径方向位置よりも径方向外側に及び、カム環の前方突出部が、収納状態において、その光軸方向位置をバリヤ羽根の動作平面と重ならせ、かつ該動作平面内でバリヤ羽根の開閉動作領域から外れて位置させる。【選択図】図１０
2010008746.tif 000002
【特許請求の範囲】
【請求項１】
撮影状態と撮影を行わない収納状態との間で動作可能なレンズ鏡筒において、
周面にカム溝を形成した筒状部と、該筒状部から光軸方向前方に突出する前方突出部を有し、上記撮影状態と収納状態の移行時に回転するカム環；
上記カム環の外側に位置し、カム環の回転により上記カム溝に案内されて光軸方向に直進移動される直進環；
上記直進環に、光軸と直交する動作平面内で動作して、該直進環の前方開口を開閉するように支持されたバリヤ羽根；及び
撮影状態でバリヤ羽根を開かせ、撮影状態から収納状態になるときバリヤ羽根を閉じさせるバリヤ駆動機構；
を備え、
光軸に沿って見て、上記バリヤ羽根の開閉動作領域が、上記カム環の前方突出部の内周の径方向位置よりも径方向外側に及ぶこと；及び
カム環の前方突出部は、上記収納状態において、その光軸方向位置がバリヤ羽根の動作平面と重なり、かつ該動作平面内でバリヤ羽根の開閉動作領域から外れて位置していること；
を特徴とするレンズ鏡筒のバリヤ機構。
【請求項２】
請求項１記載のレンズ鏡筒のバリヤ機構において、上記直進環は、上記バリヤ羽根の後部に位置するフランジ状部を有し、上記カム環の前方突出部は、撮影状態では該フランジ状部よりも後方に位置し、収納状態では該フランジ状部に形成した光軸方向の貫通部を通して上記バリヤ羽根の動作平面位置まで進出するレンズ鏡筒のバリヤ機構。
【請求項３】
請求項１または２記載のレンズ鏡筒のバリヤ機構において、上記直進環は、上記バリヤ羽根よりも前方に位置し、収納状態で該バリヤ羽根の動作平面位置まで進出した上記カム環の前方突出部の前方を覆う前方壁部を有しているレンズ鏡筒のバリヤ機構。
【請求項４】
請求項１ないし３のいずれか１項記載のレンズ鏡筒のバリヤ機構において、上記カム環の前方突出部には上記カム溝の一部が形成されているレンズ鏡筒のバリヤ機構。
【請求項５】
請求項１ないし４のいずれか１項記載のレンズ鏡筒のバリヤ機構において、上記カム環には、周方向位置を異ならせて複数の前方突出部が設けられ、全ての前方突出部が、収納状態でバリヤ羽根の動作平面内で該バリヤ羽根の開閉動作領域から外れて位置しているレンズ鏡筒のバリヤ機構。
【請求項６】
請求項１ないし５のいずれか１項記載のレンズ鏡筒のバリヤ機構において、上記バリヤ駆動機構は、
上記バリヤ羽根を閉じ方向に付勢する閉じ付勢ばね；及び
上記バリヤ羽根の動作平面と略平行な平面内で回転可能に支持され、撮影状態で上記閉じ付勢ばねの付勢力に抗してバリヤ羽根を開いて保持させ、撮影状態から収納状態になるとき、上記カム環前端の前方突出部に押圧されて回転して該保持を解除するバリヤ駆動リング；
を備えているレンズ鏡筒のバリヤ機構。
【発明の詳細な説明】
【技術分野】
【０００１】
本発明は、レンズ鏡筒に設けられるバリヤ機構に関する。
【背景技術】
【０００２】
コンパクトカメラのレンズ鏡筒では、撮影を行わない収納（沈胴）状態において光学系の前方を閉じるレンズバリヤ機構を備えたものが一般化しており、特許文献１のように、レンズ駆動用のカム環を用いてバリヤ羽根の開閉を制御する構造が知られている。
【特許文献１】特開２０００−２９２６７０号公報
【発明の開示】
【発明が解決しようとする課題】
【０００３】
この種のレンズバリヤ機構では、ばねの付勢力によって閉じられているバリヤ羽根に対して力を加えればバリヤを開かせることが可能であるため、バリヤ羽根と他の部材の干渉を避けるために、バリヤ羽根が開閉動作を行う平面上には、鏡筒収納状態においてカム環などの可動部材を進入させないようにしていた。しかし、レンズ鏡筒の薄型化を図るために、レンズバリヤ機構においてもさらなるスペース効率の向上が求められている。
【０００４】
本発明は、スペース効率に優れ、収納状態でのレンズ鏡筒の薄型化に寄与するバリヤ機構を提供することを目的とする。
【課題を解決するための手段】
【０００５】
本発明は、バリヤ羽根の開閉動作平面内であっても、バリヤ羽根と重ならないスペースが存在し、当該スペースを用いて収納効率を向上させる余地があることに着目してなされたものである。すなわち本発明のバリヤ機構は、撮影状態と撮影を行わない収納状態との間で動作可能なレンズ鏡筒において、周面にカム溝を形成した筒状部と、該筒状部から光軸方向前方に突出する前方突出部を有し、撮影状態と収納状態の移行時に回転するカム環；このカム環の外側に位置し、カム環の回転によりカム溝に案内されて光軸方向に直進移動される直進環；直進環に、光軸と直交する動作平面内で動作して、該直進環の前方開口を開閉するように支持されたバリヤ羽根；及び、撮影状態でバリヤ羽根を開かせ、撮影状態から収納状態になるときバリヤ羽根を閉じさせるバリヤ駆動機構；を備え、光軸に沿って見て、バリヤ羽根の開閉動作領域が、カム環の前方突出部の内周の径方向位置よりも径方向外側に及ぶこと；及び、カム環の前方突出部が、収納状態において、その光軸方向位置をバリヤ羽根の動作平面と重ならせ、かつ該動作平面内でバリヤ羽根の開閉動作領域から外れて位置していること；を特徴とするものである。
【０００６】
直進環は、バリヤ羽根の後部に位置するフランジ状部を有し、カム環の前方突出部は、撮影状態では該フランジ状部よりも後方に位置し、収納状態では該フランジ状部に形成した光軸方向の貫通部を通してバリヤ羽根の動作平面位置まで進出するように構成することが好ましい。
【０００７】
直進環にはさらに、バリヤ羽根よりも前方に位置し、収納状態で該バリヤ羽根の動作平面位置まで進出したカム環の前方突出部の前方を覆う前方壁部を設けてもよい。
【０００８】
カム環の前方突出部にカム溝の一部を形成することで、カム溝が効率的に配置され、カム環の小型化を図ることができる。
【０００９】
カム環に周方向位置を異ならせて複数の前方突出部を設けてもよく、この場合、レンズ鏡筒の収納状態では、全ての前方突出部が、バリヤ羽根の動作平面内で該バリヤ羽根の開閉動作領域から外れて位置される。
【００１０】
バリヤ駆動機構の具体的態様として、バリヤ羽根を閉じ方向に付勢する閉じ付勢ばねと、バリヤ羽根の動作平面と略平行な平面内で回転可能に支持され、撮影状態で閉じ付勢ばねの付勢力に抗してバリヤ羽根を開いて保持させ、撮影状態から収納状態になるとき、カム環前端の前方突出部に押圧されて回転して該保持を解除するバリヤ駆動リングとを備えるとよい。
【発明の効果】
【００１１】
以上の本発明によれば、カム環の前方突出部がバリヤ駆動リングを操作する際にバリヤ羽根と同じ光軸方向位置まで進出することで、光軸方向におけるスペース効率が向上し、収納状態でのレンズ鏡筒の薄型化を達成することができる。そして、このときカム環の前方突出部は、バリヤ羽根の開閉動作領域から外れて位置するため、バリヤ羽根とは干渉せず、確実なバリヤ動作が保証される。
【発明を実施するための最良の形態】
【００１２】
図１から図４を参照して、本発明によるバリヤ機構を備えたズームレンズ鏡筒７０の概略構造を説明する。このズームレンズ鏡筒７０の撮像光学系は、物体（被写体）側から順に第１レンズ群ＬＧ１、第２レンズ群ＬＧ２、絞り兼用のシャッタ羽根Ｓ、第３レンズ群ＬＧ３、ローパスフィルタ２５及び撮像素子７１を備えており、以下の説明中で光軸方向とは、この撮影光学系の光軸Ｏと平行な方向を意味する。
【００１３】
ローパスフィルタ２５と撮像素子７１はユニット化されて撮像素子ホルダ２３に固定され、撮像素子ホルダ２３がハウジング２２の後部に固定される。ハウジング２２の外側には、ズームモータ１５０とＡＦモータ１６０が支持されている。
【００１４】
第３レンズ群ＬＧ３を保持する３群レンズ枠５１は、ハウジング２２に対して光軸方向に移動可能に支持されていて、ＡＦモータ１６０によって駆動される。
【００１５】
ハウジング２２の内側にはカム環１１が支持されている。カム環１１は、ズームモータ１５０の駆動力によって回転され、鏡筒収納状態（図３）から撮影状態（図４）になるまでの間は、回転しながら光軸方向に移動し、撮影状態におけるズーム域（図４上半のワイド端と図４下半のテレ端の間）では、光軸方向には定位置で回転される。
【００１６】
カム環１１を挟んで第１繰出筒１３と直進案内環１０が支持されている。第１繰出筒１３と直進案内環１０はそれぞれハウジング２２に対して光軸方向に直進案内されており、かつカム環１１に対しては、相対回転は可能で光軸方向に共に移動するように結合されている。
【００１７】
直進案内環１０は、２群レンズ移動枠８を光軸方向へ相対移動可能に直進案内している。２群レンズ移動枠８の内部には、第２レンズ群ＬＧ２を保持する２群レンズ保持枠２、シャッタ羽根Ｓを保持するシャッタブロック１００が支持されている。また、ハウジング２２に対して光軸方向に直進案内された第１繰出筒１３はさらに、第２繰出筒１２を光軸方向へ相対移動可能に直進案内している。第２繰出筒１２の内部には、１群レンズ保持枠１を介して第１レンズ群ＬＧ１が支持されている。
【００１８】
第２繰出筒１２は内径方向に突出する１群用カムフォロアＣＦ１を有し、この１群用カムフォロアＣＦ１が、カム環１１の外周面に形成した１群制御カム溝ＣＧ１に摺動可能に嵌合している。第２繰出筒１２は第１繰出筒１３を介して光軸方向に直進案内されているため、カム環１１が回転すると、１群制御カム溝ＣＧ１の形状に従って、第２繰出筒１２すなわち第１レンズ群ＬＧ１が光軸方向へ所定の軌跡で移動する。
【００１９】
カム環１１の内周面に形成した２群制御カム溝ＣＧ２に対し、２群レンズ移動枠８の外周面に設けた２群用カムフォロアＣＦ２が係合している。２群レンズ移動枠８は直進案内環１０を介して光軸方向に直進案内されているため、カム環１１が回転すると、２群制御カム溝ＣＧ２の形状に従って、２群レンズ移動枠８すなわち第２レンズ群ＬＧ２が光軸方向へ所定の軌跡で移動する。
【００２０】
２群レンズ移動枠８と第２繰出筒１２の間には、圧縮ばねからなる群間付勢ばね２７が挿入されており、２群レンズ移動枠８と第２繰出筒１２は互いに離間する方向に付勢されている。
【００２１】
以上の構造からなるズームレンズ鏡筒７０は次のように動作する。図１及び図３に示す鏡筒収納状態では、図２及び図４に示す撮影状態よりも光軸方向の光学系の長さ（第１レンズ群ＬＧ１の物体側の面から撮像素子７１の撮像面までの距離）が短くなっている。この鏡筒収納状態において撮影状態への移行信号（例えば、ズームレンズ鏡筒７０が搭載されるカメラに設けたメインスイッチのオン）が入力されると、ズームモータ１５０が鏡筒繰出方向に駆動され、カム環１１が回転しながら光軸方向前方へ繰り出される。直進案内環１０と第１繰出筒１３は、カム環１１と共に前方に直進移動する。カム環１１が回転すると、その内側では、直進案内環１０を介して直進案内された２群レンズ移動枠８が、２群用カムフォロアＣＦ２と２群制御カム溝ＣＧ２の関係によって光軸方向に所定の軌跡で移動される。また、カム環１１が回転すると、該カム環１１の外側では、第１繰出筒１３を介して直進案内された第２繰出筒１２が、１群用カムフォロアＣＦ１と１群制御カム溝ＣＧ１の関係によって光軸方向に所定の軌跡で移動される。
【００２２】
すなわち、鏡筒収納状態からの第１レンズ群ＬＧ１と第２レンズ群ＬＧ２の繰出量はそれぞれ、前者が、ハウジング２２に対するカム環１１の前方移動量と、該カム環１１に対する第２繰出筒１２のカム繰出量との合算値として決まり、後者が、ハウジング２２に対するカム環１１の前方移動量と、該カム環１１に対する２群レンズ移動枠８のカム繰出量との合算値として決まる。ズーミングは、この第１レンズ群ＬＧ１と第２レンズ群ＬＧ２が互いの空気間隔を変化させながら撮影光軸Ｏに沿って移動することにより行われる。収納状態から鏡筒繰出を行うと、まず図４の上半断面に示すワイド端の繰出状態になり、さらにズームモータ１５０を鏡筒繰出方向に駆動させると、図４の下半断面に示すテレ端の繰出状態となる。テレ端とワイド端の間のズーム領域では、カム環１１は前述の定位置回転を行い、光軸方向へは進退しない。収納状態への移行信号（例えば、カメラのメインスイッチのオフ）が入力されると、ズームモータ１５０が鏡筒収納方向に駆動され、ズームレンズ鏡筒７０は以上の繰出動作とは逆の収納動作を行う。
【００２３】
また、第２繰出筒１２の前端部には、第１レンズ群ＬＧ１の前方を開閉可能なバリヤ羽根１０４が設けられており、鏡筒収納状態ではバリヤ羽根１０４が閉じており、撮影状態への繰り出し動作に応じてバリヤ羽根１０４が開かれる。
【００２４】
第３レンズ群ＬＧ３を支持する３群レンズ枠５１は、以上のズームモータ１５０による第１レンズ群ＬＧ１及び第２レンズ群ＬＧ２の駆動とは独立して、ＡＦモータ１６０によって光軸方向に前後移動させることができる。そして、光学系がワイド端からテレ端までのズーム域にあるとき、測距手段によって得られた被写体距離情報に応じてＡＦモータ１６０を駆動することにより、第３レンズ群ＬＧ３が光軸方向に移動してフォーカシングが実行される。
【００２５】
図５は、バリヤ羽根１０４を有するレンズバリヤ機構を分解した状態を示す。第２繰出筒１２の前端部には、横長矩形のバリヤ前方開口１０１ａを有するバリヤ支持部材１０１が、爪突起１２ａと爪係合穴１０１ｂを係合させて固定される。バリヤ支持部材１０１の前面側には両面テープ１０９によって化粧板１０８が固定され、爪突起１２ａと爪係合穴１０１ｂの係合部分が光密に塞がれる。
【００２６】
第２繰出筒１２は、第１レンズ群ＬＧ１の前端部付近を囲むように、撮影光軸Ｏと略直交するバリヤ支持フランジ（フランジ状部）１２ｂを有し、このバリヤ支持フランジ１２ｂとバリヤ支持部材１０１の間に、一対のバリヤ羽根１０４と、一対のトーションばね（バリヤ駆動機構、閉じ付勢ばね）１０６と、一対の引張ばね（バリヤ駆動機構）１０７と、バリヤ駆動リング（バリヤ駆動機構）１０３が設けられている。バリヤ支持部材１０１の後面側には、撮影光軸Ｏに関して略対称の位置に一対のバリヤ回動軸１０１ｃ（図７、図８）が設けられている。一対のバリヤ羽根１０４は、このバリヤ回動軸１０１ｃを中心として、撮影光軸Ｏと直交する動作平面内で、バリヤ前方開口１０１ａを閉じる位置（図８の実線位置）と開く位置（図７）の間で回動することができる。それぞれのバリヤ羽根１０４は、トーションばね１０６によって閉じ方向に回動付勢されている。
【００２７】
バリヤ駆動リング１０３は、第２繰出筒１２に対して撮影光軸Ｏを中心として所定角度回転可能に支持されており、撮影光軸Ｏが通る中央部にはバリヤ前方開口１０１ａに対応する中央開口１０３ａが形成され、この中央開口１０３ａを挟んで一対のバリヤ駆動穴１０３ｂが形成されている。それぞれのバリヤ駆動穴１０３ｂには、バリヤ羽根１０４から突設した開閉制御ボス１０４ａ（図７、図８）が係入している。図８に実線で示すように一対のバリヤ羽根１０４が閉じた状態で、同図の反時計方向にバリヤ駆動リング１０３が回転されると、一対のバリヤ駆動穴１０３ｂの端部がそれぞれ開閉制御ボス１０４ａに当接して押圧し、トーションばね１０６による閉じ方向の付勢力に抗して、図７のようにバリヤ羽根１０４を開かせることができる。バリヤ駆動リング１０３は、そのばね掛け部１０３ｃとバリヤ支持部材１０１のばね掛け部１０１ｄの間に張設した、トーションばね１０６よりも強い付勢力を持つ一対の引張ばね１０７によって、バリヤ開き方向（図７及び図８の反時計方向）に回転付勢されている。よって、バリヤ駆動リング１０３が引張ばね１０７の付勢力による開き方向の回動端（図７）に位置するときには、バリヤ駆動穴１０３ｂの端部が開閉制御ボス１０４ａを押圧して、トーションばね１０６の力に抗してバリヤ羽根１０４が開いた状態に保持される。
【００２８】
第２繰出筒１２のバリヤ支持フランジ１２ｂは、第２繰出筒１２の内周面に近い外径側の領域に、光軸方向への複数の貫通部１２ｃを有する。バリヤ駆動リング１０３は、このうち一つの貫通部１２ｃを通して後方に突出する回転伝達突起１０３ｄを有しており、この回転伝達突起１０３ｄが、カム環１１の先端部に形成した回転付与段部１１ａと係脱することで、バリヤ駆動リング１０３の位置が制御される。詳細には、バリヤ駆動リング１０３とカム環１１の関係は次のようになっている。
【００２９】
カム環１１は、光軸方向の後端部にギヤリング部１１ｂが設けられ、ギヤリング１１ｂ上にガイド突起１１ｃが突設されている。ギヤリング部１１ｂは、ズームモータ１５０によって回転されるズームギヤ（不図示）に噛合しており、ガイド突起１１ｃは、ハウジング２２の内周面に形成したカム環ガイド溝２２ａ（図３，図４）に対して摺動可能に係合している。カム環ガイド溝２２ａは、光軸方向後方の螺旋溝部分と、光軸方向前方の撮影光軸Ｏを中心とする環状溝部分とを有し、鏡筒収納状態と撮影状態（ワイド端）の間では、ガイド突起１１ｃがカム環ガイド溝２２ａの螺旋溝部分に案内されて、カム環１１はハウジング２２に対して回転しながら光軸方向に移動する。具体的には、カム環１１は、鏡筒収納状態から撮影状態になるときに、回転しながら光軸方向前方（物体側）へ進出し、撮影状態から鏡筒収納状態になるときには逆に、回転しながら光軸方向後方へ後退する。また、ワイド端からテレ端までのズーム域では、ガイド突起１１ｃがカム環ガイド溝２２ａの環状溝部分に案内されて、カム環１１はハウジング２２に対する光軸方向位置を変化させず、光軸方向の定位置で回転される。
【００３０】
カム環１１は、ギヤリング部１１ｂの前部に、１群制御カム溝ＣＧ１と２群制御カム溝ＣＧ２をそれぞれ外周面と内周面に形成した筒状部１１ｄを有している。筒状部１１ｄの前端部には、３つの前方突出片部１１ｅと、この３つの前方突出片部１１ｅの間の非突出端面部１１ｆが、周方向に交互に存在している。図６や図１１に示すように、前方突出片部１１ｅには撮影光軸Ｏと略平行な側面が形成されており、この側面が、バリヤ駆動リング１０３の回転伝達突起１０３ｄに対して係脱する前述の回転付与段部１１ａを構成している。１群制御カム溝ＣＧ１と２群制御カム溝ＣＧ２は、それぞれの軌跡のうち、最も光軸方向前方の一部領域が前方突出片部１１ｅ上を通るように、その形成位置が定められている。言い換えると、カム環１１では、１群制御カム溝ＣＧ１及び２群制御カム溝ＣＧ２の軌跡と干渉しない範囲内で、筒状部１１ｄの前端部を欠いて非突出端面部１１ｆとし、１群制御カム溝ＣＧ１と２群制御カム溝ＣＧ２が存在していて欠くことのできない部分についてのみ、前方突出片部１１ｅが残されている。これにより、カム環１１がコンパクトに構成されている。３つの前方突出片部１１ｅは、撮影光軸Ｏを中心として略等角度間隔（１２０°等配）で配置されており、それぞれの形状も共通している。
【００３１】
前述のように、第２繰出筒１２は、カム環１１の回転に応じて１群制御カム溝ＣＧ１に案内されて光軸方向に直進し、カム環１１と同様に、撮影状態（ワイド端）から鏡筒収納状態になるときには、光軸方向後方へ移動される。この収納動作時のカム環１１に対する第２繰出筒１２の後退移動量は、ハウジング２２に対するカム環１１の後退移動量よりも大きい。したがって、撮影状態では、図７及び図９のように、回転伝達突起１０３ｄに対して前方突出片部１１ｅが係合していないが、収納動作時には回転伝達突起１０３ｄと前方突出片部１１ｅが相対的に接近し、かつ回転方向の位相も近付き、収納動作の途中で回転付与段部１１ａが回転伝達突起１０３ｄに当接する。すると、回転するカム環１１の回転付与段部１１ａから回転伝達突起１０３ｄに対して、引張ばね１０７の付勢力と反対方向への強制回転力が与えられる。バリヤ駆動リング１０３が引張ばね１０７に抗する図８の回動端まで回動されると、バリヤ駆動穴１０３ｂの端部による開閉制御ボス１０４ａの押圧が解除されて、トーションばね１０６の付勢力によりバリヤ羽根１０４が閉じられる。
【００３２】
逆に、収納状態から撮影状態（ズーム域）に移行するときには、カム環１１にと第２繰出筒１２の間で生じる光軸方向の相対移動と相対回動とによって回転伝達突起１０３ｄが回転付与段部１１ａ（前方突出片部１１ｅ）から離れ、引張ばね１０７によってバリヤ駆動リング１０３がバリヤ開き方向に回転する結果、バリヤ駆動穴１０３ｂの端部が開閉制御ボス１０４ａを押してバリヤ羽根１０４を開かせる。
【００３３】
つまり、バリヤ羽根１０４の開閉は、バリヤ駆動リング１０３の回転によって制御され、バリヤ駆動リング１０３のバリヤ閉じ方向の回転は、カム環１１によって与えられる。なお、カム環１１の前方突出片部１１ｅは、回転方向に略等間隔で３箇所設けられており、実際に回転伝達突起１０３ｄに当接してバリヤ駆動リング１０３の回転制御に用いられる前方突出片部１１ｅ（回転付与段部１１ａ）は、組み付け時に３箇所のうちから任意に選択することができる。
【００３４】
図８に示すように、撮影光軸Ｏに沿って見て、バリヤ羽根１０４が開かれたとき（図８に二点鎖線で示す状態）、その最も径方向外側の部分が、カム環１１の３つの前方突出片部１１ｅの内周を通る光軸中心円Ｒよりも径方向外側まで進出する。言い換えれば、撮影光軸Ｏを中心とする径方向において、バリヤ羽根１０４の開閉動作領域が、カム環１１の前方突出片部１１ｅの内周の位置よりも径方向外側に及んでいる。また、図１０及び図１１に示すように、鏡筒収納状態では、カム環１１の前方突出片部１１ｅ（回転付与段部１１ａ）は、バリヤ駆動リング１０３の回転伝達突起１０３ｄとの光軸方向位置が重なるのみならず、貫通部１２ｃを貫通してバリヤ支持フランジ１２ｂの前方空間まで進出し、この前方突出片部１１ｅの前端部付近は、光軸方向においてバリヤ羽根１０４の動作平面と重なる位置にある。すなわち、前方突出片部１１ｅの一部とバリヤ羽根１０４の光軸方向位置が重なっている。前述の通り、鏡筒収納状態でバリヤ羽根１０４はトーションばね１０６の付勢力で閉じられているが、図８に二点鎖線で示すように、指などで力を加えることによりバリヤ羽根１０４を開くことが可能である。ここでカム環１１の３つの前方突出片部１１ｅはいずれも、バリヤ羽根１０４の動作平面内において、鏡筒収納状態でバリヤ羽根１０４が開かれても該バリヤ羽根１０４と干渉しない位置、すなわちバリヤ羽根の開閉動作領域（開閉動作の軌跡上）から外れて位置している。そのため、鏡筒収納状態でバリヤ羽根１０４が開かれた場合には、図１１に示すように、バリヤ羽根１０４の外縁部は、前方突出片部１１ｅと干渉することなくカム環１１の非突出端面部１１ｆの前方に進出し、その動作が妨げられない。これにより、バリヤ機構の動作不良や破損を防ぐことができる。
【００３５】
以上のように、バリヤ駆動リング１０３を操作する前方突出片部１１ｅをバリヤ羽根１０４の動作平面位置まで進出させても両者の間に干渉が生じない構成とすることで、鏡筒収納時に、カム環１１に対する第２繰出筒１２の後退移動量を大きくさせることが可能となった。これにより、スペース効率が向上して、収納時にズームレンズ鏡筒７０をより一層薄型にすることができる。
【００３６】
図１２及び図１３は異なる実施形態を示す。この実施形態では、第２繰出筒１２のバリヤ支持フランジ１２ｂの前部に、光軸方向においてバリヤ羽根１０４よりも前方に位置する前方壁部１２ｄが形成されている。前方壁部１２ｄは、鏡筒収納時におけるカム環１１の前方突出片部１１ｅの前方を覆う周方向位置（すなわち、撮影光軸Ｏに沿って見て、バリヤ羽根１０４の開閉動作領域と重ならない位置）に形成され、前方壁部１２ｄとバリヤ支持フランジ１２ｂの間は、バリヤ羽根１０４の動作平面内においてその開閉動作領域から外れた位置に設けた橋絡部１２ｅによって接続されている。そして、バリヤ駆動リング１０３の回転伝達突起１０３ｄは、橋絡部１２ｅに形成した径方向貫通部１２ｆを通して、前方壁部１２ｄの後方空間に挿入されている。
【００３７】
撮影状態では、図１２に二点鎖線で示すように、開放位置に回動されたバリヤ羽根１０４の外縁部が前方壁部１２ｄの背後に入り込む。鏡筒収納状態では、図１３のように、カム環１１の前方突出片部１１ｅが、貫通部１２ｃを通してバリヤ支持フランジ１２ｂを越えて前方壁部１２ｄの背後に隣接して位置され、前方突出片部１１ｅの前端付近とバリヤ羽根１０４の光軸方向位置が略一致する。このとき第２繰出筒１２の橋絡部１２ｅとカム環１１の前方突出片部１１ｅはいずれも、バリヤ羽根１０４の開閉動作の軌跡とは重ならない位置にあるため、仮にバリヤ羽根１０４を開く動作を行わせても、橋絡部１２ｅや前方突出片部１１ｅとの干渉は起こらない。
【００３８】
この実施形態では、前方壁部１２ｄを設けたことによって、バリヤ支持フランジ１２ｂにおける前後方向への貫通領域が小さくなるため、バリヤ開口部における遮光性（有害光の進入防止）や防塵性を高めることができる。
【００３９】
以上、図示実施形態に基づき本発明を説明したが、本発明は、この実施形態に限定されるものではない。例えば、バリヤ羽根１０４の駆動機構として、実施形態では、カム環１１の前方突出片部１１ｅ（回転付与段部１１ａ）によってバリヤ駆動リング１０３を押圧して回転させる構成をとっているが、本発明におけるバリヤ駆動機構の形態はこのような駆動リングを用いるものには限られず、少なくともバリヤ羽根の開閉動作制御に、カム環の回転を利用するものであれば適用が可能である。また、バリヤ駆動リングを用いるタイプの場合、実施形態のバリヤ駆動リング１０３とは異なり、バリヤ羽根の前方にバリヤ駆動リングが位置していてもよい。さらに、バリヤ羽根の枚数、バリヤ羽根を付勢するばねの数や形態などの細部構造についても、実施形態の構造には限定されない。
【００４０】
また、実施形態のカム環１１は、撮影状態と収納状態の間で光軸方向に進退しながら回転されるが、本発明におけるカム環は、撮影状態と収納状態の間で光軸方向移動を行わずに回転のみ行うタイプであってもよい。
【００４１】
また、実施形態では、カム環１１上の１群制御カム溝ＣＧ１と２群制御カム溝ＣＧ２がそれぞれ３本設けられていて、各々のカム溝の光軸方向最前方の領域を前方突出片部１１ｅ上に形成している。この構成によると、カム環１１の筒状部１１ｄを、前方突出片部１１ｅ以外の部分においては、前端部を非突出端面部１１ｆとした光軸方向に短い形状とすることができるので、光学設計上必要なカム溝軌跡を損なうことなく、カム環１１の小型化が達成されている。しかし、仮に前方突出片部１１ｅ上を通らずに構成可能なカム溝形状であれば、前方突出片部１１ｅの数はカム溝の本数に依存せずに決めることが可能となるため、例えば、バリヤ駆動リング１０３の一つの回転伝達突起１０３ｄに対応して、カム環１１側に単一の前方突出片部１１ｅ（回転付与段部１１ａ）が設けられているという態様も可能である。あるいは、バリヤ駆動リング１０３に２つ以上の回転伝達突起１０３ｄを設け、これに対応した数の前方突出片部１１ｅ（回転付与段部１１ａ）をカム環１１に設けることも可能である。いずれの場合も、カム環１１に設けた前方突出片部１１ｅが、鏡筒収納状態でバリヤ羽根１０４の動作平面位置まで進出し、かつ該動作平面内でバリヤ羽根１０４の開閉動作の領域から外れているという要件を満たしていればよいのである。
【図面の簡単な説明】
【００４２】
【図１】本発明を適用したズームレンズ鏡筒の収納状態の外観斜視図である。
【図２】同ズームレンズ鏡筒の撮影状態の外観斜視図である。
【図３】同ズームレンズ鏡筒の収納状態の断面図である。
【図４】同ズームレンズ鏡筒の撮影状態の断面図である。
【図５】第２繰出筒の前端部に設けられるレンズバリヤ機構を分解状態で示した斜視図である。
【図６】カム環の一部を拡大した斜視図である。
【図７】ズームレンズ鏡筒の撮影状態でのレンズバリヤ機構を、前方のバリヤ支持部材を外して示した正面図である。
【図８】ズームレンズ鏡筒の収納状態でのレンズバリヤ機構を、前方のバリヤ支持部材を外して示した正面図である。
【図９】ズームレンズ鏡筒の撮影状態でのレンズバリヤ機構付近を拡大して示した断面図である。
【図１０】ズームレンズ鏡筒の収納状態でのレンズバリヤ機構付近を拡大して示した断面図である。
【図１１】ズームレンズ鏡筒の収納状態におけるバリヤ羽根とカム環の位置関係を示す展開平面図である。
【図１２】本発明の異なる実施形態における、ズームレンズ鏡筒の撮影状態でのレンズバリヤ機構付近を拡大して示した断面図である。
【図１３】本発明の異なる実施形態における、ズームレンズ鏡筒の収納状態でのレンズバリヤ機構付近を拡大して示した断面図である。
【符号の説明】
【００４３】
８  ２群レンズ移動枠
１０  直進案内環
１１  カム環
１１ａ  回転付与段部
１１ｂ  ギヤリング部
１１ｃ  ガイド突起
１１ｄ  筒状部
１１ｅ  前方突出片部
１１ｆ  非突出端面部
１２  第２繰出筒
１２ｂ  バリヤ支持フランジ（フランジ状部）
１２ｃ  貫通部
１２ｄ  前方壁部
１２ｅ  橋絡部
１２ｆ  径方向貫通部
１３  第１繰出筒
２２  ハウジング
２２ａ  カム環ガイド溝
２３  撮像素子ホルダ
５１  ３群レンズ枠
７０  ズームレンズ鏡筒
７１  撮像素子
１００  シャッタブロック
１０１  バリヤ支持部材
１０３  バリヤ駆動リング（バリヤ駆動機構）
１０３ｂ  バリヤ駆動穴
１０３ｄ  回転伝達突起
１０４  バリヤ羽根
１０４ａ  開閉制御ボス
１０６  トーションばね（バリヤ駆動機構、閉じ付勢ばね）
１０７  引張ばね（バリヤ駆動機構）
１５０  ズームモータ
１６０  ＡＦモータ
ＣＦ１  １群用カムフォロア
ＣＦ２  ２群用カムフォロア
ＣＧ１  １群制御カム溝
ＣＧ２  ２群制御カム溝
ＬＧ１  第１レンズ群
ＬＧ２  第２レンズ群
ＬＧ３  第３レンズ群
Ｏ  撮影光学系の光軸
Ｓ  シャッタ羽根
【図１】
2010008746.tif 000003
【図２】
2010008746.tif 000004
【図３】
2010008746.tif 000005
【図４】
2010008746.tif 000006
【図５】
2010008746.tif 000007
【図６】
2010008746.tif 000008
【図７】
2010008746.tif 000009
【図８】
2010008746.tif 000010
【図９】
2010008746.tif 000011
【図１０】
2010008746.tif 000012
【図１１】
2010008746.tif 000013
【図１２】
2010008746.tif 000014
【図１３】
2010008746.tif 000015